(57)【特許請求の範囲】
【請求項１】
複数のガラスブロックを目地材を介して縦横方向に積層配列して湾曲壁面を構築するガラスブロック構築体において、
個々のガラスブロックの外周面の凹部に弾性的に密着嵌合させた枠状目地材と、湾曲壁面の外側の隣接する枠状目地材間に介在配置させた弾性スペーサとを具備したことを特徴とするガラスブロック構築体。
【請求項２】
隣接する枠状目地材と弾性スペーサとの接触面には相互に係合する凹凸部を具備させたことを特徴とする請求項１記載のガラスブロック構築体。
【発明の詳細な説明】
【０００１】
【発明の属する技術分野】
本発明は、乾式施工法により湾曲したガラスブロック壁を構築するためのガラスブロック構築体に関するものである。
【０００２】
【従来の技術】
従来よりガラスブロック壁を構築する方法としては、目地にモルタルを使用する湿式施工法と、モルタルを使用しない乾式施工法とが知られている。
【０００３】
上記湿式施工法は、施工に専門技能者が必要であり、かつ、目地に充填したモルタルの養生期間を必要とする点に問題があるが、フラットな壁面を構築する場合と、湾曲した壁面を構築する場合とで使用する材料や手間が殆ど同一であるという利点がある。
【０００４】
一方、乾式施工法は、専門技能者が不要であり、モルタルの養生期間も不要であるため、短工期で施工できる利点があるが、フラットな壁面を構築する場合と、湾曲した壁面を構築する場合とで、使用する目地材を別のものにする必要がある。例えば本出願人が、特願平１０−４５７７４号で提案した全体がゴム等の弾性材料で多角形枠状に一体構成された目地本体が１個のガラスブロックに対して２個一組として用いられ、それぞれがガラスブロックの外周面の両側縁部に装着されるガラスブロック組立て用目地材を使用して湾曲した壁面を構築する場合、湾曲の内側と外側とでガラスブロック間の目地幅が異なるため、湾曲壁面の内側に位置する目地材の外周面よりも、外側に位置する目地材の外周面を大きくする必要がある。
【０００５】
【発明が解決しようとする課題】
従来の乾式施工法では、前記したように、フラットな壁面を構築する場合と、湾曲した壁面を構築する場合とで、別の目地材を製作しなければならず、しかも、湾曲壁面の曲率の大小によっても形状の異なる目地材を製作しなければならないため、これらの成形金型の製作費が高価となり、大幅なコストアップとなる問題点があった。
【０００６】
本発明は、従来の乾式施工法の上記問題点に鑑みて提案されたものであって、その目的とするところは、フラット壁面と湾曲壁面とで同一の目地材を適用できるようにし、コストアップを抑制できるガラスブロック構築体を提供することである。
【０００７】
【課題を解決するための手段】
上記目的を達成するため、本発明は、複数のガラスブロックを目地材を介して縦横方向に積層配列して湾曲壁面を構築するガラスブロック構築体において、個々のガラスブロックの外周面の凹部に弾性的に密着嵌合させた枠状目地材と、湾曲壁面の外側の隣接する枠状目地材間に介在配置させた弾性スペーサとを具備させたものである。
【０００８】
本発明は、上記構成としたから、湾曲壁面の曲率に適合した形状の弾性スペーサを湾曲壁面の外側目地部分の隣接する枠状目地材間に介在配置させることによって、所望の曲率の湾曲壁面を構築することができる。そして、枠状目地材は、フラット壁面のものを共用でき、上記弾性スペーサは棒状のものを製作すればよいため、安価であり、コストダウンが図れる。
【０００９】
また、隣接する枠状目地材と弾性スペーサとの接触面には相互に係合する凹凸部を具備させたことによって、シール性の向上と、位置決め固定機能の向上が図れる。
【００１０】
【発明の実施の形態】
図１の（Ａ）は湾曲壁面を構築する実施例を示す本発明のガラスブロック構築体の縦目地部の拡大横断平面図、（Ｂ）は弾性スペーサの拡大断面図、図２は本発明により構築した湾曲壁面の一部概略断面図、図３は本発明に係る湾曲壁面のガラスブロック構築体の一部を示す分解斜視図、図４の（Ａ）は本発明に係る目地材の実施例を示す背面図で、各辺の断面形状を一部を破断して図示しており、（Ｂ）と（Ｃ）はその左側面図と下面図である。
【００１１】
図１〜図３において、１はガラスブロック、２は枠状目地材、３は垂直方向の補強骨材、４は水平方向の補強骨材、５は弾性スペーサを示している。
【００１２】
ガラスブロック１は、一辺が所定寸法（例えば、略２０ｃｍその他）の略正方形をなす表裏面を有し、所定の厚さ（例えば、略１０ｃｍ）で内部が中空とされ、外周面には凹部１ａを有し、この凹部１ａの両側縁部には、リブ凸条１ｂ、１ｂが形成してある。このリブ凸条１ｂ、１ｂは、枠状目地材２とガラスブロック１との係止作用を高めるために形成している。
【００１３】
枠状目地材２は、全体が耐候性に優れ、着色も自在なシリコーンゴム等のゴム材料、樹脂材料、その他の弾性材料で図４の（Ａ）に示すように正４角形枠状に一体成形されている。
【００１４】
上記枠状目地材２は、同一形状としたものを１個のガラスブロック１に対して２個一組として図１の（Ａ）及び図２に示すように互いに逆向きにしてガラスブロック１の外周面の凹部１ａの両側のリブ凸条１ｂ、１ｂに弾性的に密着嵌合させて使用するものである。
【００１５】
そのために、上記枠状目地材２は、４角形枠状であり、その外側端部の内周面２ａには、図１の（Ａ）、図２及び図３に示すように、ガラスブロック１の外周面の凹部１ａのリブ凸条１ｂ、１ｂに嵌合する凹溝２ｃが設けてある。また、枠状目地材２の外周面２ｂは、隣接する枠状目地材２の外周面２ｂと密着可能なシール面とされている。そのために、上記枠状目地材２の４辺のうち隣接する２辺の外側端部の外周面２ｂには凹部２ｄを、他の隣接する２辺の外側端部の外周面２ｂには前記凹部２ｄに嵌合する凸部２ｅを具備させてある。
【００１６】
また、上記枠状目地材２の内側端部の外周面には、シールリップ２ｆが外側へ突設してある。そして、枠状目地材２の外周面２ｂの４隅は角形に形成してあり、これによって、ガラスブロック１、１を上下左右に密着接続させた際、各枠状目地材２の４隅の合体部分に隙間が発生することを防止させている。
【００１７】
弾性スペーサ５は、枠状目地材２と同一材料又は他の弾性材料で断面扇形の棒状に形成されている。この弾性スペーサ５は、断面扇形の拡開角度の異なるものを複数種類準備し、構築する湾曲壁面の曲率に適合するものを選択して使用する。弾性スペーサ５の両面には、枠状目地材２の凹部２ｄと凸部２ｅとに係合する凹部５ａと凸部５ｂが設けてある。この弾性スペーサ５は、ガラスブロック構築体の湾曲壁面の外側の目地の全長に亘って介在させるものである。なお、この弾性スペーサ５は、ガラスブロック１の１個分の長さとしておいてもよい。
【００１８】
垂直方向の補強骨材３と水平方向の補強骨材４とは、適当な材料（鉄、鋼、ステンレス、その他の金属材料または樹脂、ＦＲＰ、その他の複合材料、木材等）により適当な形状（板状、丸棒状、梯子状、その他の形状）に構成され、複数個のガラスブロック１、１の縦横方向の枠状目地材２、２間に外部から見えない状態で配筋されるものである。図３に示す例では、垂直方向の補強骨材３を板状とし、水平方向の補強骨材４を丸棒状とし、板状をなす垂直方向の補強骨材３側には、水平方向の補強骨材４と交差する部分に水平方向の補強骨材４を貫通配置するための貫通孔３ａが設けてある。これらの垂直方向の補強骨材３及び水平方向の補強骨材４の両端には、上下の枠材及び左右の側枠材がボルト等により取付けられる。
【００１９】
なお、上下の枠材及び左右の側枠材は、適当な材料（鉄、鋼、ステンレス、その他の金属材料または樹脂、ＦＲＰ、その他の複合材料、木材等）で適当な断面形状（断面Ｌ状、断面コ字状、中空角パイプ状、中実角材状、その他の形状）に構成され、構築しようとするガラスブロック壁の高さ及び幅寸法並びに湾曲壁面の曲率に適合させた長さ寸法及び形状のものが使用され、複数個のガラスブロック１を枠状目地材２及び弾性スペーサ５を介在させて縦横に積層配列して湾曲したガラスブロック構築体を構築するものである。
【００２０】
本発明の構成は、以上の通りであって、次に、湾曲壁面を構築する要領を概略説明する。先ず、図３に示すように、各ガラスブロック１の外周面の両側縁部に枠状目地材２を２個一組で嵌合しておく。そして、予め、湾曲壁面の曲率に適合させて湾曲させた下側の枠材を配置固定し、その上に、図２に示すように、湾曲壁面の曲率に適合させて１段目のガラスブロック１を配列し、湾曲壁面の外側の枠状目地材２、２間に弾性スペーサ５を介在させる。この場合、各縦目地部分に垂直方向の補強骨材３の下端を予め下側の枠材にボルト等で固定して立設しておく。そして、１段目のガラスブロック１の上に水平方向の補強骨材４を図３に示すように垂直方向の補強骨材３の貫通孔３ａに挿通して配置し、この上に２段目のガラスブロック１を積み重ねる。３段目以降も同様である。
【００２１】
各ガラスブロック１には、枠状目地材２が弾性的に密着嵌合させてあり、この枠状目地材２の外周面２ｂには凹部２ｄと凸部２ｅが形成してあり、また、弾性スペーサ５にも同様な凹部５ａと凸部５ｂが形成してあるため、湾曲壁面の内側の目地部分では隣接する枠状目地材２、２の凹部２ｄと凸部２ｅが互いに係合し、湾曲壁面の外側の目地部分では弾性スペーサ５の凹部５ａと凸部５ｂが両側の枠状目地材２、２の凸部２ｅと凹部２ｄに係合してシールを行う。このシール作用は縦横の目地部分で同一である。
【００２２】
【発明の効果】
本発明によれば、湾曲壁面の曲率に適合した形状の弾性スペーサを湾曲壁面の外側目地部分の隣接する枠状目地材間に介在配置させることによって、所望の曲率の湾曲壁面を構築することができる。そして、枠状目地材は、フラット壁面のものを共用でき、上記弾性スペーサは棒状のものを製作すればよいため、安価であり、コストダウンが図れる。
【００２３】
また、隣接する枠状目地材と弾性スペーサとの接触面には相互に係合する凹凸部を具備させたことによって、シール性の向上と、位置決め固定機能の向上が図れる。
【図面の簡単な説明】
【図１】（Ａ）は湾曲壁面を構築する実施例を示す本発明のガラスブロック構築体の縦目地部の拡大横断平面図、（Ｂ）は弾性スペーサの拡大断面図。
【図２】本発明により構築した湾曲壁面の一部概略断面図。
【図３】本発明に係る湾曲壁面のガラスブロック構築体の一部を示す分解斜視図。
【図４】（Ａ）は本発明に係る目地材の実施例を示す背面図で、各辺の断面形状を一部を破断して図示しており、（Ｂ）と（Ｃ）はその左側面図と下面図。
【符号の説明】
１    ガラスブロック
１ａ  凹部
１ｂ  リブ凸条
２    枠状目地材
２ａ  内周面
２ｂ  外周面
２ｃ  凹溝
２ｄ  凹部
２ｅ  凸部
２ｆ  シールリップ
３    垂直方向の補強骨材
３ａ  貫通孔
４    水平方向の補強骨材
５    弾性スペーサ
５ａ  凹部
５ｂ  凸部
【図１】
0003796976.tif 000002
【図２】
0003796976.tif 000003
【図３】
0003796976.tif 000004
【図４】
0003796976.tif 000005